(57)【要約】【課題】フィルタの交換のための扉を箱体に設けても空気をフィルタへと導くことのできるフィルタ装置を提供する。【解決手段】箱体１１にフィルタが着脱可能に装着されたフィルタ装置１０である。フィルタ（１２）を出し入れするために箱体１１の１面を開口する出入口部１７と、出入口部１７を開閉可能に閉鎖する扉１８と、箱体１１の内方を風上側と風下側とに仕切るように設けられ、フィルタにおける気流通過部１２ａを取り囲む周縁部（１２ｂ）を全周に亘り受けてフィルタを支持する支持部材３１と、支持部材３１とフィルタとの間で全周に亘り介在される第１気密部材３２と、フィルタを支持部材３１へと押し付ける押付機構３３と、扉１８が出入口部１７を閉鎖した状態において、第１気密部材３２における出入口部１７から露見する箇所と全長に亘って接触するように扉１８に設けられた第２気密部材４５と、を備える。【選択図】図３
2018130647.tif 000002
【特許請求の範囲】
【請求項１】
箱体にフィルタが着脱可能に装着されたフィルタ装置であって、
前記フィルタを出し入れするために前記箱体の１面を開口する出入口部と、
前記出入口部を開閉可能に閉鎖する扉と、
前記箱体の内方を風上側と風下側とに仕切るように設けられ、前記フィルタにおける気流通過部を取り囲む周縁部を全周に亘り受けて前記フィルタを支持する支持部材と、
前記支持部材と前記フィルタとの間で全周に亘り介在される第１気密部材と、
前記フィルタを前記支持部材へと押し付ける押付機構と、
前記扉が前記出入口部を閉鎖した状態において、前記第１気密部材における前記出入口部から露見する箇所と全長に亘って接触するように前記扉に設けられた第２気密部材と、を備えることを特徴とするフィルタ装置。
【請求項２】
前記第２気密部材は、前記扉が前記出入口部を閉鎖した状態において、前記支持部材における前記出入口部から露見する箇所と全長に亘って接触するように前記扉に設けられていることを特徴とする請求項１に記載のフィルタ装置。
【請求項３】
前記押付機構は、前記フィルタの風上側に設けられていることを特徴とする請求項１または請求項２に記載のフィルタ装置。
【請求項４】
前記第１気密部材は、接着層を介して前記支持部材に取り付けられていることを特徴とする請求項１から請求項３のいずれか１項に記載のフィルタ装置。
【請求項５】
前記第１気密部材は、接着層を介して前記フィルタに取り付けられ、
前記支持部材は、全周に亘り継ぎ目がなく、かつ前記フィルタ側のフィルタ受面が平坦であることを特徴とする請求項１から請求項３のいずれか１項に記載のフィルタ装置。
【請求項６】
前記押付機構は、前記フィルタを押し付ける可動部と、前記可動部を覆う保護部と、を有することを特徴とする請求項１から請求項５のいずれか１項に記載のフィルタ装置。
【発明の詳細な説明】
【技術分野】
【０００１】
本開示は、フィルタ装置に関する。
【背景技術】
【０００２】
建物では、空調や換気のために、箱体にフィルタを設けたフィルタ装置が用いられる。
【０００３】
そのフィルタ装置では、取り入れた空気をフィルタに通す必要があるので、フィルタをフィルタ受面で受けて、そのフィルタとフィルタ受面との間の気密性を確保するものが考えられている（特許文献１、２参照）。これらのフィルタ装置は、フィルタ受面とフィルタとの間に気密部材を設け、フィルタをフィルタ受面へと押し付けることで、フィルタとフィルタ受面との間の気密性を確保している。
【先行技術文献】
【特許文献】
【０００４】
【特許文献１】特許第５３６１５８８号公報
【特許文献２】特許第５８５５３０１号公報
【発明の概要】
【発明が解決しようとする課題】
【０００５】
しかしながら、上記した各フィルタ装置は、フィルタを交換するための扉を設けており、フィルタと扉との間から空気が漏れる虞がある。
【０００６】
本開示は、上記の事情に鑑みて為されたもので、フィルタの交換のための扉を箱体に設けても空気をフィルタへと導くことのできるフィルタ装置を提供することを目的とする。
【課題を解決するための手段】
【０００７】
上記した目的を達成するために、本開示のフィルタ装置は、箱体にフィルタが着脱可能に装着されたフィルタ装置であって、前記フィルタを出し入れするために前記箱体の１面を開口する出入口部と、前記出入口部を開閉可能に閉鎖する扉と、前記箱体の内方を風上側と風下側とに仕切るように設けられ、前記フィルタにおける気流通過部を取り囲む周縁部を全周に亘り受けて前記フィルタを支持する支持部材と、前記支持部材と前記フィルタとの間で全周に亘り介在される第１気密部材と、前記フィルタを前記支持部材へと押し付ける押付機構と、前記扉が前記出入口部を閉鎖した状態において、前記第１気密部材における前記出入口部から露見する箇所と全長に亘って接触するように前記扉に設けられた第２気密部材と、を備えることを特徴とする。
【０００８】
ここで、前記第２気密部材は、前記扉が前記出入口部を閉鎖した状態において、前記支持部材における前記出入口部から露見する箇所と全長に亘って接触するように前記扉に設けられている構成とすることができる。また、前記押付機構は、前記フィルタの風上側に設けられている構成とすることができる。さらに、前記第１気密部材は、接着層を介して前記支持部材に取り付けられている構成としてもよい。加えて、前記第１気密部材は、接着層を介して前記フィルタに取り付けられ、前記支持部材は、全周に亘り継ぎ目がなく、かつ前記フィルタ側のフィルタ受面が平坦である構成とすることができる。加えて、前記押付機構は、前記フィルタを押し付ける可動部と、前記可動部を覆う保護部と、を有する構成とすることができる。
【発明の効果】
【０００９】
このように構成された本開示のフィルタ装置は、支持部材および第１気密部材と扉との間の気密性を確保できるので、フィルタの交換のための扉を箱体に設けても空気をフィルタへと導くことができる。
【００１０】
ここで、前記第２気密部材は、前記扉が前記出入口部を閉鎖した状態において、前記支持部材における前記出入口部から露見する箇所と全長に亘って接触するように前記扉に設けられている構成であれば、より確実に支持部材および第１気密部材と扉との間の気密性を確保できる。また、前記押付機構は、前記フィルタの風上側に設けられている構成であれば、空気がフィルタを押す方向と、押付機構がフィルタを押す方向と、を揃えることができ、第１気密部材を確実に圧縮しつつフィルタを支持部材で支持することができる。さらに、前記第１気密部材は、接着層を介して前記支持部材に取り付けられている構成であれば、気密部材が設けられていないフィルタを、支持部材との間での気密性を確保しつつ容易に装着することができる。加えて、前記第１気密部材は、接着層を介して前記フィルタに取り付けられ、前記支持部材は、全周に亘り継ぎ目がなく、かつ前記フィルタ側のフィルタ受面が平坦である構成であれば、気密部材が設けられたフィルタを、支持部材との間での気密性を確保しつつ容易に装着することができる。しかも、前記押付機構は、前記フィルタを押し付ける可動部と、前記可動部を覆う保護部と、を有する構成であれば、可動部に塵埃等の付着を防止できるとともにフィルタの交換等を行う使用者等が可動部に触れることを防止でき、可動部や使用者を保護することができる。
【図面の簡単な説明】
【００１１】
【図１】本開示に係るフィルタ装置の一実施形態に係る一例としてのフィルタ装置の構成を模式的に示す説明図である。
【図２】図１のＩ−Ｉ線に沿って得られた断面で示す説明図である。
【図３】除塵フィルタを固定する構成を説明するために扉を開けた様子を模式的に示す説明図である。
【図４】押付機構の構成を説明するための説明図である。
【図５】除塵フィルタを装着するために扉を開けた様子を説明するための説明図である。
【図６】除塵フィルタを装着するために扉を閉めた様子を説明するための説明図である。
【発明を実施するための形態】
【００１２】
以下に、本開示に係るフィルタ装置の一例としての実施例１のフィルタ装置１０について図面を参照しつつ説明する。なお、図３は、除塵フィルタ１２を固定する構成および除塵フィルタ１２の周囲の気密性を確保する構成の理解を容易とするために、それらの構成を示すとともにＮＯ２フィルタ１３およびプレフィルタ１４の取り付けの構成等の他の構成を省略して示している。
【実施例１】
【００１３】
本開示に係るフィルタ装置の一実施形態に係る実施例１のフィルタ装置１０を、図１から図６を用いて説明する。フィルタ装置１０は、建物の空調や換気のために用いられるものであり、吸気口１５から空気を取り入れてフィルタ（１２、１３、１４）を通過させることで、空気に含まれる粉塵等の異物を取り除き、排気口１６から清浄な空気を送り出す。
【００１４】
フィルタ装置１０は、図１に示すように、箱体１１に１つ以上のフィルタを組み込んで構成され、実施例１では除塵フィルタ１２とＮＯ２フィルタ１３とプレフィルタ１４とを箱体１１に組み込んでいる。箱体１１は、大略直方体の箱状とされ、対向する一方の端壁１１ａに吸気口１５が設けられ、他方の端壁１１ｂ（図３参照）に排気口１６が設けられている。吸気口１５は、空調や換気における風上側（上流側）のダクトに接続され、排気口１６は、同じく風下側（下流側）のダクトに接続される。これにより、箱体１１では、吸気口１５から排気口１６に向けた、すなわち端壁１１ａから端壁１１ｂに向けた空気の流れが形成される。以下の説明では、この空気が流れる方向を気流方向とし、図２を正面視した上下の方向を上下方向とし、２つの方向に直交する方向を幅方向とする。箱体１１は、両端壁１１ａ、１１ｂに隣接する上側の１面（壁）が全域に亘り開口されて出入口部１７が形成されており（図３参照）、その出入口部１７が扉１８により開閉可能とされている。
【００１５】
扉１８は、出入口部１７を全域に亘り覆うことのできる板状とされ、２つの蝶番１９により箱体１１に開閉可能に取り付けられている。箱体１１および扉１８には、扉１８を閉めた状態で固定するために２つの扉固定部２１が設けられている。各扉固定部２１は、実施例１では所謂クレセント錠であり、扉１８に回転可能に設けられた操作金具２１ａと、箱体１１に設けられた受金具２１ｂと、を有する。各扉固定部２１は、扉１８が出入口部１７を閉鎖した状態において、操作金具２１ａの半円状とされた先端箇所を、受金具２１ｂの鉤状とされた先端箇所に引っ掛けることで、箱体１１に対して扉１８を固定することができ、引っ掛けを解除することでその固定を解除することができる。
【００１６】
除塵フィルタ１２とＮＯ２フィルタ１３とプレフィルタ１４とは、図１および図２に示すように、箱体１１内に気流方向に直交して設けられる。除塵フィルタ１２は、空気中の粉塵等を取り除くもので、箱体１１に組み込むことが可能な直方体状とされ、気流を通過させてその空気を濾過する気流通過部１２ａと、それを取り囲む周縁部の一例としての枠部１２ｂと、を有する（図３参照）。除塵フィルタ１２は、実施例１では、後述するように本開示の構成が適用されて着脱可能に装着され、他のフィルタよりも気密性が確保されている。
【００１７】
ＮＯ２フィルタ１３は、空気中のＮＯ２を取り除くために設けられ、箱体１１に組み込むことが可能な直方体状とされる。ＮＯ２フィルタ１３には、自身を環状に取り巻くＮＯ２用気密部材２２が設けられ、箱体１１との間の気密性が確保される。プレフィルタ１４は、除塵フィルタ１２に至る前に大きなゴミを取り除くために設けられ、箱体１１に組み込むことが可能な板状とされる。
【００１８】
箱体１１には、除塵フィルタ１２の装着のために、図３に示すように、支持部材３１と第１気密部材３２と押付機構３３とが設けられる。支持部材３１は、後述するように押付機構３３により押し当てられる除塵フィルタ１２の枠部１２ｂを受けることで除塵フィルタ１２を支持する。支持部材３１は、箱体１１の内周面に沿う矩形の枠状とされ、箱体１１の内方を風上側と風下側とに仕切っている。支持部材３１は、箱体１１の内周面との間にコーキングが施されて設けられ、箱体１１との間の気密性が確保されている。支持部材３１は、風上側が枠部１２ｂを受けるフィルタ受面３１ａ（図２参照）とされ、実施例１では、接着層３４を介してフィルタ受面３１ａの全周に亘り第１気密部材３２が取り付けられている。
【００１９】
第１気密部材３２は、枠状とされた気密部材であり、除塵フィルタ１２と支持部材３１との間に設けられることで、その間の気密性を全周に亘り確保する。実施例１の第１気密部材３２は、後述するように押付機構３３からの押す力で圧縮されることで除塵フィルタ１２と支持部材３１との間の気密性を全周に亘り確保し、その押す力が解除されると少なくとも圧縮前の所定の割合まで復元する弾性材料で形成される。このような弾性材料としては、例えば、バルク素材や発泡性素材があげられ、実施例１では発泡ゴムを用いている。この第１気密部材３２および支持部材３１は、実施例１では、出入口部１７が箱体１１の上側の１面を全域に亘り開口して形成されているので、上側の幅方向に延びる箇所が全長に亘り出入口部１７から露見している。
【００２０】
押付機構３３は、支持部材３１の幅方向に位置する両側部に対向するように対を為して設けられている。この各押付機構３３は、図３を正面視して奥側に位置するものを拡大して示す図４に示すように、枠部材３５の中に可動部材３６と２つの板ばね３７と２つの制限部材３８とが設けられて構成されている。その枠部材３５は、箱体１１の幅方向に位置する側面に沿って上下方向に延びる長尺な部材である。枠部材３５は、取付片部４１と固定片部４２と保護片部４３とを有し、それらにより上下方向（長尺方向）に直交する断面がＵ字形状とされて、それらの内方に可動部材３６と両板ばね３７と両制限部材３８とが設けられる収容空間４４を形成する。取付片部４１は、箱体１１の側面に固定され、枠部材３５を箱体１１に取り付ける箇所となる。固定片部４２は、箱体１１の側面に直交しつつ内方に延びて設けられ、両板ばね３７と両制限部材３８とが固定される箇所となる。保護片部４３は、固定片部４２に直交しつつ取付片部４１と平行して設けられ、収容空間４４を覆い隠す箇所となる。
【００２１】
各板ばね３７は、長尺で薄板な帯状の弾性部材で形成され、枠部材３５の収容空間４４に上下方向に並んで配され、下側の一端部３７ａが固定片部４２に固定されて設けられる。各板ばね３７は、上側の他端部３７ｂが屈曲されて除塵フィルタ１２の前面（風上側の面）に対して垂直に延びるものとされ、一端部３７ａと他端部３７ｂとの間に除塵フィルタ１２の前面に向かって凸となる湾曲部３７ｃが形成されている。各板ばね３７の他端部３７ｂには、可動部材３６との連結のための切欠き３７ｄが設けられている。湾曲部３７ｃは、両端部３７ａ、３７ｂから除塵フィルタ１２の前面に向けて傾斜した方向に延びており、突出箇所で除塵フィルタ１２の枠部１２ｂの前面を押すことができる。湾曲部３７ｃの両端部３７ａ、３７ｂとの近傍位置には、可動部材３６を通すために、可動部材３６の外径とほぼ同じ幅で板ばね３７の長手方向に延びる長孔３７ｅ、３７ｆが設けられている。長孔３７ｅ、３７ｆは、湾曲部３７ｃの弾性変形に合わせて可動部材３６を通す位置を変えながら、可動部材３６の幅方向の動きを規制して、可動部材３６の長手方向移動を案内することができる。
【００２２】
各制限部材３８は、可動部材３６の移動を制限するもので、薄板状の部材で形成され、各板ばね３７の上方（他端部３７ｂ側）において上下方向に直交するように固定片部４２に取り付けられて設けられている。各制限部材３８には、中央に可動部材３６を通す可動孔３８ａが設けられている。２つの制限部材３８は、可動部材３６を可動孔３８ａに通すことで、後述する可動部材３６の移動に拘わらず可動部材３６の姿勢を保つことができ、位置ずれを防止する。
【００２３】
可動部材３６は、上下方向に沿って延びる棒状の部材で形成されている。可動部材３６は、長尺方向（上下方向）における２箇所に部分的に外径寸法を小さくする小径部３６ａが形成されている。可動部材３６は、各板ばね３７の２つの長孔３７ｅ、３７ｆに通されるとともに、各板ばね３７の他端部３７ｂの切欠き３７ｄに各小径部３６ａが嵌め込まれることで、各板ばね３７が連結されている。このとき、可動部材３６は、各板ばね３７の上方に位置する各制限部材３８の可動孔３８ａに通されており、各板ばね３７の他端部３７ｂが対応する制限部材３８と接触することで、各板ばね３７の弾性力による枠部材３５に対する上方への移動が制限されている。可動部材３６は、この制限された状態において、上端部３６ｂが箱体１１の上方まで延びる初期位置（図５参照）とされ、実施例１では箱体１１からの突出量が１０．５ｍｍとされている。
【００２４】
押付機構３３は、扉１８が開かれていると、上端部３６ｂが扉１８と接触することはなく、可動部材３６が初期位置（図５参照）とされて、上端部３６ｂが箱体１１から突出されている。この初期位置では、各板ばね３７の湾曲部３７ｃの突出箇所と支持部材３１の第１気密部材３２との間隔が、除塵フィルタ１２の厚さ寸法（気流方向の大きさ）よりも大きくされている。その間隔は、実施例１では、第１気密部材３２と押付機構３３（その各湾曲部３７ｃの突出箇所）との間に除塵フィルタ１２を挿入した状態において、除塵フィルタ１２の気流方向に沿う両側に各々３ｍｍの隙間を存在させるものとされている。
【００２５】
押付機構３３は、扉１８が閉められると、上端部３６ｂが扉１８に押されることで（図６参照）、可動部材３６が初期位置から押し下げられて、可動部材３６に連結された他端部３７ｂが箱体１１の固定片部４２に固定された一端部３７ａに近づく押付位置とされる。その押付位置では、各板ばね３７の湾曲部３７ｃの突出箇所が突出されて第１気密部材３２に接近し、その突出箇所と第１気密部材３２との間隔が除塵フィルタ１２の厚さ寸法よりも小さくされている。このため、押付機構３３は、扉１８が閉められて各板ばね３７の突出箇所が除塵フィルタ１２側へと移動することで、除塵フィルタ１２の前面（枠部１２ｂの前面側の側壁の外側面）を押すことができる。このことから、押付機構３３では、収容空間４４に設けられた可動部材３６と両板ばね３７と両制限部材３８とが除塵フィルタ１２を押し付ける可動部となり、保護片部４３が可動部を覆う保護部となる。
【００２６】
扉１８には、図１、図２に示すように、３つの第２気密部材４５が貼り付けられている。各第２気密部材４５は、扉１８が閉められた際に扉１８と各フィルタ（１２、１３、１４）との間の気密性を確保するもので、弾性材料が幅方向に延びて扉１８の裏面に固定されて設けられており、実施例１では発泡ゴムが用いられている。第２気密部材４５は、最も風上側に位置するものがプレフィルタ１４に対応され、扉１８が閉められた際にプレフィルタ１４に押し付けられる位置関係および大きさとされている。第２気密部材４５は、最も風下側に位置するものがＮＯ２フィルタ１３に対応され、扉１８が閉められた際にＮＯ２フィルタ１３を取り巻くＮＯ２用気密部材２２に押し付けられる位置関係および大きさとされている。第２気密部材４５は、真ん中に位置するものが除塵フィルタ１２に対応され、扉１８が閉められた際に、除塵フィルタ１２を支持する支持部材３１および第１気密部材３２に押し付けられる位置関係および大きさとされている。ここで、支持部材３１および第１気密部材３２は、上側の幅方向に延びる箇所が全長に亘り出入口部１７から露見しているので、各第２気密部材４５は、第１気密部材３２および支持部材３１の上端面に全長に亘り押し付けられる大きさとされている。
【００２７】
また、扉１８には、図３に示すように、第３気密部材４６が設けられている。第３気密部材４６は、扉１８が閉められた際に扉１８と箱体１１との間の気密性を確保するもので、弾性材料が扉１８の裏面の周縁部を取り囲むように扉１８に固定されて設けられており、実施例１では発泡ゴムが用いられている。
【００２８】
加えて、箱体１１の出入口部１７の開口縁部１７ａには、第４気密部材４７が設けられている。第４気密部材４７は、第３気密部材４６と協働して扉１８が閉められた際に扉１８と箱体１１との間の気密性を確保するもので、開口縁部１７ａの全周に亘り弾性材料が開口縁部１７ａに固定されて設けられており、実施例１では発泡ゴムが用いられている。第４気密部材４７は、扉１８が閉められると、第３気密部材４６に押し当てられて、互いに適宜圧縮されることで扉１８と箱体１１との間の気密性を確保する。
【００２９】
次に、フィルタ装置１０における除塵フィルタ１２の装着および交換操作について説明する。
【００３０】
先ず、図１、図２に示す扉１８が出入口部１７を閉鎖している状態から、各扉固定部２１を解除して、図３、図５に示すように、扉１８を開けて出入口部１７すなわち箱体１１内を開放する。すると、両押付機構３３は、扉１８により上端部３６ｂが押されることがなくなり、各板ばね３７の湾曲部３７ｃが弾性復元して、可動部材３６が初期位置とされる。これにより、両押付機構３３は、支持部材３１の第１気密部材３２との間隔を除塵フィルタ１２の厚さ寸法よりも大きくする。このため、除塵フィルタ１２は、周囲と干渉させることなく両押付機構３３と第１気密部材３２（支持部材３１）との間から、容易に引き抜くことができる。
【００３１】
そして、両押付機構３３と第１気密部材３２（支持部材３１）との間に、新たな除塵フィルタ１２を挿入する。このときも、可動部材３６が初期位置とされているので、周囲と干渉させることなく除塵フィルタ１２を挿入できる。その後、図６に示すように、扉１８を閉めると、両押付機構３３は、上端部３６ｂが扉１８に押されて可動部材３６が押付位置とされることで、第１気密部材３２との間隔を除塵フィルタ１２の厚さ寸法よりも小さくし、除塵フィルタ１２の前面を支持部材３１（第１気密部材３２）側へと押す。そして、閉めた状態の扉１８を各扉固定部２１で固定することで、両押付機構３３が除塵フィルタ１２の前面を支持部材３１側へと押す状態を維持することができる。これにより、除塵フィルタ１２は、第１気密部材３２を介して支持部材３１に押し付けられた状態で箱体１１に固定されて装着される。
【００３２】
このように、フィルタ装置１０では、新しい除塵フィルタ１２へと交換して装着することが容易にできる。このとき、除塵フィルタ１２が、両押付機構３３により支持部材３１の第１気密部材３２に密着されているので、除塵フィルタ１２と支持部材３１との間の気密性が確保される。特に、両押付機構３３が、除塵フィルタ１２の両側の２辺を押し付けるので、除塵フィルタ１２を安定して押すことができ、より適切に気密性を確保できる。また、両押付機構３３が、両板ばね３７の弾性力により第１気密部材３２を介して除塵フィルタ１２を支持部材３１に押し付けているので、経年等で第１気密部材３２が変形してもその変形を両板ばね３７で吸収することができ、気密性を維持できる。
【００３３】
さらに、扉１８には、各第２気密部材４５と第３気密部材４６とが設けられているとともに、箱体１１には、第４気密部材４７が設けられている。このため、扉１８が閉められて各扉固定部２１で固定されると、各第２気密部材４５は、風上側から順に、１つ目がプレフィルタ１４に押し付けられ、２つ目が支持部材３１および第１気密部材３２に押し付けられ、３つ目がＮＯ２フィルタ１３を取り巻くＮＯ２用気密部材２２に押し付けられる。これらにより、箱体１１内では、扉１８と各フィルタ（１２、１３、１４）との間の気密性が確保される。また、扉１８が閉められて各扉固定部２１で固定されると、扉１８の第３気密部材４６と箱体１１の第４気密部材４７とが押し当てられることで、扉１８と箱体１１との間の気密性が確保される。
【００３４】
一実施例のフィルタ装置１０は、以下の各作用効果を得ることができる。
【００３５】
フィルタ装置１０は、扉１８が閉められると、扉１８に設けられた真ん中の第２気密部材４５が、押付機構３３により除塵フィルタ１２と支持部材３１との間で圧縮される第１気密部材３２に押し当てられる。このため、フィルタ装置１０は、扉１８と第１気密部材３２との間の気密性を第２気密部材４５で確保できるので、箱体１１の内方に通された空気を除塵フィルタ１２の気流通過部１２ａへと導くことができる。これは、以下のことによる。支持部材３１は、箱体１１の内方を風上側と風下側とに仕切るように設けられており、第１気密部材３２は、箱体１１の内方において、除塵フィルタ１２と支持部材３１との間の気密性を確保している。ところが、フィルタ装置１０では、扉１８が箱体１１に開閉可能に設けられることで、支持部材３１および第１気密部材３２と扉１８との間を経て風上側と風下側とが通じる虞がある。これに対して、フィルタ装置１０では、第２気密部材４５で扉１８と第１気密部材３２との間の気密性を確保しているので、風上側から風下側へと流れる空気を除塵フィルタ１２の気流通過部１２ａに導くことができる。特に、フィルタ装置１０では、扉１８が閉められると、扉１８に設けた真ん中の第２気密部材４５が、支持部材３１と第１気密部材３２との双方に押し当てられるので、より確実に支持部材３１および第１気密部材３２と扉１８との間の気密性を確保できる。
【００３６】
また、フィルタ装置１０は、押付機構３３を除塵フィルタ１２の風上側に設けているため、空気が除塵フィルタ１２を押す方向と、押付機構３３が除塵フィルタ１２を押す方向と、を揃えることができる。このため、フィルタ装置１０は、第１気密部材３２を確実に圧縮しつつ除塵フィルタ１２を支持部材３１で支持することができる。
【００３７】
さらに、フィルタ装置１０は、接着層３４を介して第１気密部材３２を支持部材３１に取り付けているので、気密部材が設けられていない除塵フィルタ１２を装着しても、支持部材３１との間での気密性を容易に確保することができる。
【００３８】
フィルタ装置１０は、押付機構３３の枠部材３５に保護片部４３を設けている。このため、押付機構３３は、枠部材３５の収容空間４４に設けられる可動部材３６や両板ばね３７の可動部に塵埃等が付着することを防止できるとともに除塵フィルタ１２の交換等を行う使用者等が可動部に触れることを防止でき、可動部や使用者等を保護することができる。特に、実施例１では、扉１８を開けた際に露見し得る枠部材３５の収容空間４４を、上側の制限部材３８で隠しているので、可動部への塵埃等の付着や接触をより効果的に防止できる。
【００３９】
したがって、本開示に係るフィルタ装置としての実施例１のフィルタ装置１０では、フィルタ（実施例１では除塵フィルタ１２）の交換のための扉１８を箱体１１に設けても空気をフィルタへと導くことができる。
【００４０】
以上、本開示のフィルタ装置を実施例１に基づき説明してきたが、具体的な構成については実施例１に限られるものではなく、特許請求の範囲の各請求項に係る発明の要旨を逸脱しない限り、設計の変更や追加等は許容される。
【００４１】
例えば、実施例１では、接着層３４を介して第１気密部材３２を支持部材３１に取り付けていたが、接着層３４を介して第１気密部材３２を除塵フィルタ１２に取り付けてもよく、実施例１の構成に限定されない。このような構成とする場合、枠状の支持部材３１を全周に亘り継ぎ目がないものとし、かつ除塵フィルタ１２側のフィルタ受面３１ａを平坦とすることが望ましい。これは、全周に亘り継ぎ目をなくすことで、その継ぎ目から空気が漏れることを防止でき、フィルタ受面３１ａを平坦とすることで、除塵フィルタ１２に取り付けられた第１気密部材３２を全周に亘り均一に受けることができることによる。このような構成とすると、気密部材が設けられた除塵フィルタ１２を装着しても、支持部材３１との間での気密性を容易に確保することができる。
【００４２】
また、実施例１では、押付機構３３で第１気密部材３２を介して支持部材３１に押し付けるとともに扉１８に設けた第２気密部材４５を第１気密部材３２に押し当てる構成を、除塵フィルタ１２に適用している。しかしながら、この構成は、ＮＯ２フィルタ１３やプレフィルタ１４やその他のフィルタに適用してもよく、除塵フィルタ１２を含むそれら複数のフィルタのうちの任意の複数のフィルタに同時に適用してもよく、上記した実施例１の構成に限定されない。
【００４３】
さらに、実施例１では、押付機構３３において可動部材３６と板ばね３７の他端部３７ｂとを上記したように連結していたが、上記した動作を可能とするように可動部材３６と他端部３７ｂとを連結するものであればよく、実施例１の構成に限定されない。加えて、押付機構３３は、上記した構成とされていたが、第１気密部材３２を介してフィルタ（実施例１では除塵フィルタ１２）を支持部材３１に押し付けるものであればよく、上記した実施例１の構成に限定されない。
【００４４】
実施例１では、第２気密部材４５が支持部材３１と第１気密部材３２との双方に押し当てられるものとしていたが、支持部材３１または第１気密部材３２の一方のみに押し当てられるものでもよく、実施例１の構成に限定されない。
【００４５】
実施例１では、箱体１１の上側の１面（壁）を全域に亘り開口されて出入口部１７が形成されていたが、１面が開口されて出入口部１７が形成されていればよく、実施例１の構成に限定されない。この場合、第２気密部材４５は、第１気密部材３２および支持部材３１のうち、出入口部１７から露見している箇所の全長に亘り接触する大きさとすることで、上記した実施例１と同様の効果を得ることができる。
【符号の説明】
【００４６】
１０  フィルタ装置
１１  箱体
１２  （フィルタの一例としての）除塵フィルタ
１２ａ  気流通過部
１２ｂ  （周縁部の一例としての）枠部
１７  出入口部
１８  扉
３１  支持部材
３１ａ  フィルタ受面
３２  第１気密部材
３３  押付機構
３６  （可動部の一例としての）可動部材
３７  （可動部の一例としての）板ばね
３８  （可動部の一例としての）制限部材
４３  （保護部の一例としての）保護片部
４５  第２気密部材
【図１】
2018130647.tif 000003
【図２】
2018130647.tif 000004
【図３】
2018130647.tif 000005
【図４】
2018130647.tif 000006
【図５】
2018130647.tif 000007
【図６】
2018130647.tif 000008